(57)【要約】【課題】階段に容易に設置でき、誘導標識板の交換も容易な誘導標識体を提供すること。【解決手段】本発明は、階段に取り付けるための角用誘導標識体１００であって、第１誘導標識板１ａと、該第１誘導標識板１ａが取付けられた矩形状の第１ベース部２ａと、該第１ベース部２ａの一辺に設けられたガイドレール部３とを有する第１標識取付け板１０、及び、第２誘導標識板１ｂと、該第２誘導標識板１ｂが取付けられた矩形状の第２ベース部２ｂと、該第２ベース部２ｂの一辺に設けられたガイド部４とを有する第２標識取り付け板２０、を備え、ガイド部４が、ガイドレール部３に横方向からスライドさせて挿入されることにより、第１標識取付け板１０と第２標識取付け板２０とが一体となっている角用誘導標識体１００である。【選択図】図１
2011117195.tif 000002
【特許請求の範囲】
【請求項１】
角部に取り付けるための角用誘導標識体であって、
第１誘導標識板と、該第１誘導標識板が取付けられた矩形状の第１ベース部と、該第１ベース部の一辺に設けられたガイドレール部とを有する第１標識取付け板、及び、
第２誘導標識板と、該第２誘導標識板が取付けられた矩形状の第２ベース部と、該第２ベース部の一辺に設けられたガイド部とを有する第２標識取付け板、を備え、
前記ガイド部が、前記ガイドレール部に横方向からスライドさせて挿入されることにより、前記第１標識取付け板と前記第２標識取付け板とが一体となっている角用誘導標識体。
【請求項２】
前記第１標識取付け板と、前記第２標識取付け板とが、直角になっている請求項１記載の角用誘導標識体。
【請求項３】
前記第１標識取付け板が、前記第１誘導標識板をカバーして保持するための第１引掛け部及び第１被い部と、を有し、
前記第２標識取付け板が、前記第２誘導標識板をカバーして保持するための第２引掛け部及び第２被い部と、を有し、
前記第１誘導標識板が前記第１ベース部と前記第１引掛け部との間、及び、前記第１ベース部と前記第１被い部との間、に挿入された状態で、前記第１ベース部に貼着され、
前記第２誘導標識板が前記第２ベース部と前記第２引掛け部との間、及び、前記第２ベース部と前記第２被い部との間、に挿入された状態で、前記第２ベース部に貼着されている請求項１又は２に記載の角用誘導標識体。
【請求項４】
前記第１ベース部の一端に前記第１引掛け部と、該第１引掛け部から第１ベース部の面方向に延長された第１取付片と、が設けられており、他端に前記第１被い部と、該第１被い部から第１ベース部の垂直方向に延長された前記第２被い部と、前記第１被い部及び前記第２被い部の間に形成された前記ガイドレール部と、が設けられており、
前記第２ベース部の一端に前記ガイド部が設けられており、他端に前記第２引掛け部と、該第２引掛け部から第２ベース部の面方向に延長された第２取付片と、が設けられている請求項３記載の角用誘導標識体。
【請求項５】
前記第１ベース部の前記第１引掛け部に被われている部分がテーパー面となっており、
前記第２ベース部の前記第２引掛け部に被われている部分がテーパー面となっている請求項３又は４に記載の角用誘導標識体。
【請求項６】
前記ガイド部が断面頭大状となっており、前記ガイドレール部が断面ダルマ状となっている請求項１〜５のいずれか一項に記載の角用誘導標識体。
【請求項７】
前記第１誘導標識板及び前記第２誘導標識板が蓄光性を有し、
前記第１誘導標識板及び前記第２誘導標識板の表面が細かい凹凸を有するものである請求項１〜６のいずれか一項に記載の角用誘導標識体。
【請求項８】
前記角部が階段である請求項１〜７のいずれか一項に記載の角用誘導標識体。
【発明の詳細な説明】
【技術分野】
【０００１】
本発明は、角用誘導標識体に関し、特に、階段に設置するための角用誘導標識体に関する。
【背景技術】
【０００２】
地下鉄の駅、地下街、地下駐車場、トンネル、ビル等における防災対策として、災害時に外界へ脱出するための出口や非常口を案内表示する誘導標識の設置が重要になっている。
【０００３】
このような誘導標識体としては、ガラスと、該ガラスの裏面に形成された着色層とを有する誘導標識付き敷設材が知られている（例えば、特許文献１又は２参照）。
かかる誘導標識付き敷設材は、一般に、床面や壁面に埋設され、セメント、接着剤、両面テープ等によって固定される。
また、視線誘導標（誘導標識体）の裏面に、取付受金具枠を設け、ボルトで固定する方法も知られている（例えば、特許文献３参照）。
【先行技術文献】
【特許文献】
【０００４】
【特許文献１】登録実用新案第３１１０４７９号公報
【特許文献２】登録実用新案第３１２４１９９号公報
【特許文献３】登録実用新案第３０９１４２３号公報
【発明の概要】
【発明が解決しようとする課題】
【０００５】
ところで、災害時においては、照明等が消えたりして見通しが悪く、足元が見えない状態で階段を登ると、階段の角でつまずく恐れがある。このため特に階段において誘導標識体の設置が望まれている。
【０００６】
しかしながら、上記特許文献１〜３に記載の誘導標識体は、それ自体が埋設されるので、例えば、階段の踏む側と壁側との両方に誘導標識体を設けるのは難しい。
また、上記特許文献１〜３に記載の誘導標識体は、それ自体が埋設されるので、誘導標識体に備わっている誘導標識板が汚れたり破損したりした場合に交換するのが困難である。
【０００７】
本発明は上記事情に鑑みてなされたものであり、階段等の角部に容易に設置でき、誘導標識板の交換も容易な誘導標識体を提供することを目的とする。
【課題を解決するための手段】
【０００８】
本発明者は、上記課題を解決するため鋭意検討したところ、第１標識取付け板と、第２標識取付け板とを準備し、これらを一体として同時に階段の踏む側と壁側とに取り付けることにより、上記課題を解決できることを見出し、本発明を完成させるに至った。
【０００９】
すなわち、本発明は、（１）角部に取り付けるための角用誘導標識体であって、第１誘導標識板と、該第１誘導標識板が取付けられた矩形状の第１ベース部と、該第１ベース部の一辺に設けられたガイドレール部とを有する第１標識取付け板、及び、第２誘導標識板と、該第２誘導標識板が取付けられた矩形状の第２ベース部と、該第２ベース部の一辺に設けられたガイド部とを有する第２標識取り付け板、を備え、ガイド部が、ガイドレール部に横方向からスライドさせて挿入されることにより、第１標識取付け板と第２標識取付け板とが一体となっている角用誘導標識体に存する。
【００１０】
本発明は、（２）第１標識取付け板と、第２標識取付け板とが、直角になっている上記（１）記載の角用誘導標識体に存する。
【００１１】
本発明は、（３）第１標識取付け板が、第１誘導標識板をカバーして保持するための第１引掛け部及び第１被い部と、を有し、第２標識取付け板が、第２誘導標識板をカバーして保持するための第２引掛け部及び第２被い部と、を有し、第１誘導標識板が第１ベース部と第１引掛け部との間、及び、第１ベース部と第１被い部との間、に挿入された状態で、第１ベース部に貼着され、第２誘導標識板が第２ベース部と第２引掛け部との間、及び、第２ベース部と第２被い部との間、に挿入された状態で、第２ベース部に貼着されている上記（１）又は（２）に記載の角用誘導標識体に存する。
【００１２】
本発明は、（４）第１ベース部の一端に第１引掛け部と、該第１引掛け部から第１ベース部の面方向に延長された第１取付片と、が設けられており、他端に第１被い部と、該第１被い部から第１ベース部の垂直方向に延長された第２被い部と、第１被い部及び第２被い部の間に形成されたガイドレール部と、が設けられており、第２ベース部の一端にガイド部が設けられており、他端に第２引掛け部と、該第２引掛け部から第２ベース部の面方向に延長された第２取付片と、が設けられている上記（３）記載の角用誘導標識体に存する。
【００１３】
本発明は、（５）第１ベース部の第１引掛け部に被われている部分がテーパー面となっており、第２ベース部の第２引掛け部に被われている部分がテーパー面となっている上記（３）又は（４）に記載の角用誘導標識体に存する。
【００１４】
本発明は、（６）ガイド部が断面頭大状となっており、ガイドレール部が断面ダルマ状となっている上記（１）〜（５）のいずれか一つに記載の角用誘導標識体に存する。
【００１５】
本発明は、（７）第１誘導標識板及び第２誘導標識板が蓄光性を有し、第１誘導標識板及び第２誘導標識板の表面が細かい凹凸を有するものである上記（１）〜（６）のいずれか一つに記載の角用誘導標識体に存する。
【００１６】
本発明は、（８）角部が階段である上記（１）〜（７）のいずれか一つに記載の角用誘導標識体に存する。
【発明の効果】
【００１７】
本発明の角用誘導標識体は、ガイドレール部を有する第１標識取付け板と、ガイド部を有する第２標識取付け板と、を準備し、ガイド部をガイドレール部に横方向からスライドさせて挿入された一体の構造とすることにより、角部にフィットさせた構造とすることができる。なお、第１標識取付け板と、第２標識取付け板とが、直角になっていることが好ましい。
上記角用誘導標識体は、例えば、階段に好適に設置できる。
【００１８】
角用誘導標識体においては、第１ベース部に取り付けられた誘導標識板（以下便宜的に「第１誘導標識板」という。）及び第２ベース部に取り付けられた誘導標識板（以下便宜的に「第２誘導標識板」という。）を備えるので、階段に用いる場合、踏む側と壁側との両方に誘導標識板を設けることができる。このため、災害時に階段を昇り降りする場合においても、階段の角でつまずく恐れが抑制される。
また、角用誘導標識体においては、誘導標識板が汚れたり破損したりした場合、誘導標識板の交換が容易にできる。
【００１９】
本発明の角用誘導標識体においては、第１誘導標識板が第１ベース部と第１引掛け部との間、及び、第１ベース部と第１被い部との間、に緩入された状態で、第１ベース部に貼着され、同様に、第２誘導標識板が第２ベース部と第２引掛け部との間、及び、第２ベース部と第２被い部との間、に挿入された状態で、第２ベース部に貼着されていると、これらの誘導標識板が取れるのを確実に防止できる。
【００２０】
本発明の角用誘導標識体においては、第１ベース部の一端に第１引掛け部と、該第１引掛け部から第１ベース部の面方向に延長された第１取付片と、が設けられており、他端に第１被い部と、該第１被い部から第１ベース部の垂直方向に延長された第２被い部と、第１被い部及び第２被い部の間に形成されたガイドレール部と、が設けられており、第２ベース部の一端にガイド部が設けられており、他端に第２引掛け部と、該第２引掛け部から第２ベース部の面方向に延長された第２取付片と、が設けられている場合、組み立てが容易であり、角用誘導標識体の構造が簡素化される。
また、第１取付片及び第２取付片を設けることにより、角用誘導標識体が階段等の設置場所に確実に固定されると共に、人がつまずき難くなる。
【００２１】
本発明の角用誘導標識体は、第１ベース部の第１引掛け部に被われている部分、及び、第２ベース部の第２引掛け部に被われている部分、がテーパー面となっていると、誘導標識板を斜めにして、テーパー面に沿わせるように挿入することにより、第１ベース部及び第２ベース部それぞれに簡単な操作で取り付け易くなる。すなわち、誘導標識板をより交換し易くなる。
【００２２】
本発明の角用誘導標識体は、ガイド部が断面頭大状となっており、ガイドレール部が断面ダルマ状となっていると、第１標識取付け板と第２標識取付け板とが確実に固定される。
【００２３】
本発明の角用誘導標識体は、誘導標識板が、蓄光性を有すると、暗くなった夜であっても出口や非常口を案内表示することができる。
また、誘導標識板の表面が細かい凹凸を有するものであると、角用誘導標識体を階段に用いた場合、誘導標識板を踏んでも滑りにくい。
【図面の簡単な説明】
【００２４】
【図１】図１は、本実施形態に係る角用誘導標識体の一例を示す斜視図である。
【図２】図２は、本実施形態に係る角用誘導標識体における第１標識取付け板を示す断面図である。
【図３】図３の（ａ）〜（ｄ）は、本実施形態に係る角用誘導標識体において、第１ベース部に第１誘導標識板を取り付ける方法を説明するための図である。
【図４】図４は、本実施形態に係る角用誘導標識体における第２標識取付け板を示す断面図である。
【図５】図５は、本実施形態に係る角用誘導標識体において、第２標識取付け板のガイド部が第１標識取付け板のガイドレール部に挿入された状態を示す部分断面図である。
【図６】図６の（ａ）〜（ｄ）は、本実施形態に係る角用誘導標識体において、第２ベース部に第２誘導標識板を取り付ける方法を説明するための説明図である。
【図７】図７は、本実施形態に係る角用誘導標識体を角部に設置した例を示す断面図である。
【図８】図８は、本実施形態に係る角用誘導標識体を階段に設置した例を示す斜視図である。
【図９】図９は、第１標識取付け板のみを設置した例を示す断面図である。
【発明を実施するための形態】
【００２５】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２６】
図１は、本実施形態に係る角用誘導標識体の一例を示す斜視図である。
図１に示すように、本実施形態に係る角用誘導標識体１００は、第１標識取付け板１０と、第２標識取り付け板２０と、を備える。
【００２７】
第１標識取付け板１０は、第１誘導標識板１ａと、該第１誘導標識板１ａが取付けられた矩形状の第１ベース部２ａと、該第１ベース部２ａの一辺に設けられたガイドレール部３とを有する。
第２標識取り付け板２０は、第２誘導標識板１ｂと、該第２誘導標識板１ｂが取付けられた矩形状の第２ベース部２ｂと、該第２ベース部２ｂの一辺に設けられたガイド部４とを有する。
【００２８】
角用誘導標識体１００においては、第２標識取付け板２０のガイド部４を、第１標識取付け板１０のガイドレール部３に、横方向からスライドさせることにより、両者が挿入されている。これにより、角用誘導標識体１００は、第１標識取付け板１０と第２標識取付け板２０とが一体となった構造となっている。
【００２９】
角用誘導標識体１００においては、ガイドレール部３が第１標識取付け板１０の面から下向きに開放するように設けられており、それに対してガイド部４は第２標識取付け板２０の延長方向に設けられているので、第１標識取付け板１０と、第２標識取付け板２０とが略直角になっている。
【００３０】
角用誘導標識体１００においては、第１標識取付け板１０が、第１誘導標識板１ａをカバーして保持するための第１引掛け部５ａ及び第１被い部６ａを有し、第２標識取付け板２０が、第２誘導標識板１ｂをカバーして保持するための第２引掛け部５ｂ及び第２被い部６ｂを有する。
そして、第１誘導標識板１ａは、第１ベース部２ａと第１引掛け部５ａとの間、及び、第１ベース部２ａと第１被い部６ａとの間、に挿入された状態で、第１ベース部２ａに取り付けられている。
また、第２誘導標識板１ｂは、第２ベース部２ｂと第２引掛け部５ｂとの間、及び、第２ベース部２ｂと第２被い部６ｂとの間、に挿入された状態で、第２ベース部２ｂに取り付けられている。
【００３１】
このため、角用誘導標識体１００においては、第１引掛け部５ａ及び第１被い部６ａにより、第１誘導標識板１ａの上外れが防止され、第２引掛け部５ｂ及び第２被い部６ｂにより、第２誘導標識板１ｂの上外れが防止される。
また、第１誘導標識板１ａ及び第２誘導標識板１ｂが上述したように挿入されているので、例えば、角用誘導標識体１００を階段に用いた場合、上方から足で踏みつけられたとしても、第１引掛け部５ａ、第１被い部６ａ、第２引掛け部５ｂ及び第２被い部６ｂがカバーしているので、第１誘導標識板１ａ及び第２誘導標識板１ｂに直接衝撃が伝わることを抑制できる。
【００３２】
第１誘導標識板１ａ及び第２誘導標識板１ｂは、いずれも、蓄光性を有するものである。
角用誘導標識体１００は、第１誘導標識板１ａ及び第２誘導標識板１ｂが蓄光性を有するものであると、暗くなった夜であっても出口や非常口を案内表示することができる。
【００３３】
ここで、蓄光性を有するものとは、紫外線照射により蛍光を発するものを意味し、具体的には、無機蛍光体を含むものを意味する。したがって、かかる蓄光性を有するものは、蛍光灯や太陽光線の光エネルギーを蓄積し、暗所において残光を発光させる機能を果たす。
かかる無機蛍光体としては、アルミン酸ストロンチウム又はアルミン酸カルシウムにユーロピウム又はデスプロシウムを賦活剤として添加したもの、酸化亜鉛に銅又はコバルトを賦活剤として添加したもの等が挙げられる。これらの無機蛍光体は単独で用いても複数を混合して用いてもよい。
【００３４】
第１誘導標識板１ａ及び第２誘導標識板１ｂの表面は、細かい凹凸を有するものにしてもよい。紫外線硬化樹脂やシリコーン樹脂を用いて、ドット状の突起部を設けることが好ましい。凹凸を点字とすると、柱の角に取り付けることにより、指触で認識することができる。
角用誘導標識体１００を階段に用いた場合、第１誘導標識板１ａ又は第２誘導標識板１ｂを踏んでも滑りにくくなる。
角用誘導標識体１００を壁の角の部分（柱の角部も含む）に用いた場合、凹凸を設けることによって、点字の役割を果たすこともできる。
【００３５】
次に、第１標識取付け板１０及び第２標識取付け板２０それぞれについて更に詳細に説明する。
図２は、本実施形態に係る角用誘導標識体における第１標識取付け板を示す断面図である。
図２に示すように、第１標識取付け板１０においては、第１ベース部２ａの一端には、第１ベース部２ａの一部を覆う第１引掛け部５ａと、該第１引掛け部５ａから第１ベース部２ａの面方向に延長された第１取付片７ａと、が設けられており、第１ベース部２ａの他端には、第１ベース部２ａの一部を覆う第１被い部６ａと、該第１被い部６ａから第１ベース部２ａの垂直方向に延長された第２被い部６ｂと、第１被い部６ａ及び第２被い部６ｂの間に形成されたガイドレール部３と、が設けられている。なお、第１取付片７ａには、取付け用の貫通孔Ｓが形成されている。
【００３６】
第１標識取付け板１０においては、第１被い部６ａが延長された第２被い部６ｂを有するので、第１標識取付け板１０に第２標識取付け板２０を挿入させると、第１標識取付け板１０の第２被い部６ｂが、第２標識取付け板２０の第２ベース部２ｂの一部（すなわち第２誘導標識体１ｂの一部）を同時にカバーすることになる。
【００３７】
第１標識取付け板１０においては、第１ベース部２ａの第１引掛け部５ａに被われている部分が第１ベース部２ａの面方向から下方に傾斜したテーパー面１２ａとなっている。
また，第１標識取付け板１０においては、第１ベース部２ａに第１誘導標識板１ａが取り付けられている。
【００３８】
図３の（ａ）〜（ｄ）は、本実施形態に係る角用誘導標識体において、第１ベース部に第１誘導標識板を取り付ける方法を説明するための図である。
図３の（ａ）に示すように、まず、第１ベース部２ａに、第１誘導標識板１ａを斜めにして、テーパー面１２ａに沿わせるように挿入する（挿入操作）。第１誘導標識板１ａの末端が第１被い部６ａから外れる位置まで達したら、図３の（ｂ）に示すように、第１誘導標識板１ａの末端を第１ベース部２ａに下ろし接地させる（接地操作）。その後、図３の（ｃ）に示すように、第１誘導標識板１ａの末端を第１被い部６ａの下まで引き込んで移動させ、図３の（ｄ）に示す状態とする（引き込み操作）。この状態では、第１誘導標識板１ａは第１引掛け部５ａ及び第１被い部６ａによって一部を覆われている。第１誘導標識板１ａを上方に外そうとしても第１引掛け部５ａ及び第１被い部６ａが邪魔をするため外れない。
このように、第１ベース部２ａに第１誘導標識板１ａを取り付けるには、「挿入」「接地」「引き込み」の三つの簡単な操作で達成できる。
【００３９】
こうして、第１誘導標識板１ａが第１ベース部２ａに取り付けられる。
角用誘導標識体１００においては、階段等に施工後であっても、第１誘導標識板１ａの取り付けを容易に行うことができる。なお、好ましくは、第１誘導標識板１ａの裏面或いは第１ベース部２ａの上面に接着剤を付与した後、上記操作が行われる。この場合、数分で接着剤が硬化すれば第１誘導標識板１ａは固定される。
【００４０】
図４は、本実施形態に係る角用誘導標識体における第２標識取付け板を示す断面図である。
図４に示すように、第２標識取付け板２０においては、第２ベース部２ｂの一端には、ガイド部４が設けられており、第２ベース部２ｂの他端には、第２ベース部２ｂを覆う第２引掛け部５ｂと、該第２引掛け部５ｂから第２ベース部２ｂの面方向に延長された第２取付片７ｂと、が設けられている。なお、第２取付片７ｂには、取付け用の貫通孔Ｓが形成されている。
【００４１】
第２標識取付け板２０においては、一端がガイド部４となっている。かかるガイド部４は第１標識取付け板１０のガイドレール部３に、横方向からスライドさせて、挿入されるようになっている。
【００４２】
図５は、本実施形態に係る角用誘導標識体１００において、第２標識取付け板のガイド部が第１標識取付け板のガイドレール部に挿入された状態を示す部分断面図である。
図５に示すように、ガイド部４は、断面頭大状となっており、ガイドレール部３は、ガイド部４が挿入されるように、ガイド部４よりも僅かに大き目の断面ダルマ状の溝となっている。
【００４３】
本発明の角用誘導標識体においては、ガイド部４が断面頭大状となっているので、第１標識取付け板１０と第２標識取付け板２０とを戻す方向に、再度、スライドさせなければ第１標識取付け板１０と第２標識取付け板２０とは外れることはなく、確実に固定される。
ガイド部４の断面頭大部４ａを支持する断面曲がりクビ部４ｂは、蛇行しており、第１ベース部２ａの底角が食い込むように作用する。これにより第１標識取付け板１０と第２標識取付け板２０とのなす角が小さくなるように力を受けてもそれに抵抗できるので、第１標識取付け板１０と第２標識取付け板２０とのなす角度が略９０度に保持される。ここで、断面曲がりクビ部４ｂを備えない場合、すなわち、真っ直ぐな場合は、第１標識取付け板１０と第２標識取付け板２０とのなす角度に比較的自由度が生じる。
【００４４】
第２標識取付け板２０においては、第２ベース部２ｂに、第２誘導標識板１ｂが取り付けられている。
また、第２標識取付け板２０においては、上述した第１標識取付け板１０と同様に、第２ベース部２ｂの第２引掛け部５ｂに被われている部分が第２ベース部２ｂの面方向から下方に傾斜したテーパー面１２ｂとなっている。
【００４５】
図６の（ａ）〜（ｄ）は、本実施形態に係る角用誘導標識体において、第２ベース部に第２誘導標識板を取り付ける方法を説明するための説明図である。
図６の（ａ）に示すように、まず、第２ベース部２ｂに、第２誘導標識板１ｂを斜めにして、テーパー面１２ｂに沿わせるように挿入する。第２誘導標識板１ｂの末端が第２引掛け部５ｂから外れる位置まで達したら、図６の（ｂ）に示すように、第２誘導標識板１ｂの末端を第２ベース部２ｂに下ろし接地させる。その後、図６の（ｃ）に示すように、第２誘導標識板１ｂの末端を第２引掛け部５ｂの下まで引き込んで移動させ、図６の（ｄ）に示す状態とする。この状態では、第２誘導標識板１ｂは第２引掛け部５ｂ及び第２被い部６ｂによって一部を覆われている。第２誘導標識板１ｂを上方に外そうとしても、第２引掛け部５ｂ及び第２被い部６ｂが邪魔をするため外れない。
このように、第２ベース部２ｂに第２誘導標識板１ｂを取り付けるには、「挿入」「接地」「引き込み」の三つの簡単な操作で達成できる。
【００４６】
こうして、第２誘導標識板１ｂが第２ベース部２ｂに取り付けられる。
この角用誘導標識体１００においては、階段等に施工後であっても、第２誘導標識板１ｂの取付けを容易に行うことができる。なお、好ましくは、第２誘導標識板１ｂの裏面或いは第２ベース部２ｂの上面に接着剤を付与した後、上記操作が行われる。
この場合、数分で接着剤が硬化すれば第２誘導標識板１ｂは固定される。なお、このとき第２誘導標識板１ｂは、第２ベース部２ｂに接着剤等で貼着されていることが好ましい。かかる接着剤としては、市販のものが適宜用いられる。
【００４７】
角用誘導標識体１００は、上述したような第１標識取付け板１０及び第２標識取付け板２０からなる構造を有するので、階段の角の部分にフィットさせることができる。すなわち、角用誘導標識体１００は、階段等の角部に好適に設置できる。
【００４８】
次に、本実施形態に係る角用誘導標識体１００の角部への設置状態について説明する。
図７は、本実施形態に係る角用誘導標識体を角部に設置した例を示す断面図である。
図７に示すように、本実施形態に係る角用誘導標識体１００は、第１標識取付け板１０と第２標識取付け板２０とを角の部分に同時に設置できる。
この場合、第１標識取付け板１０の第１取付片７ａ及び第２標識取付け板２０の第２取付片７ｂには、それぞれ貫通孔Ｓが設けられており、該貫通孔Ｓにネジ釘Ｐ等をそれぞれ通して、第１標識取付け板１０及び第２標識取付け板２０を角部の地材に螺着する。
これにより、第１標識取付け板１０及び第２標識取付け板２０が確実に角部に固定される。
【００４９】
上述したように、第１ベース部の第１引掛け部に被われている部分が第１ベース部の面方向から下方に傾斜したテーパー面となっており、第２ベース部の第２引掛け部に被われている部分が第２ベース部の面方向から下方に傾斜したテーパー面となっているので、角用誘導標識体１００を角部に設置した場合、第１ベース部又は第２ベース部と地面との間に隙間が生じる。
かかる隙間を積極的に利用して、その中を図７に示すように、接着剤Ｒで埋めることにより、角用誘導標識体１００を角部により確実に固定できる。なお、この隙間を埋めるべく、前もって第１ベース部及び第２ベース部に両面テープを設けておき、取付けを容易にすることもできる。
【００５０】
図８は、本実施形態に係る角用誘導標識体を階段に設置した例を示す斜視図である。
図８に示す角用誘導標識体１００は、第１ベース部及び第２ベース部にそれぞれ誘導標識板が取付けられているので、階段の踏む側（水平の部分）と壁側（垂直の部分）との両方に誘導標識体を設けることができる。これにより、災害時においても、それらが上方からも下方からも視認できるので階段の角でつまずく等の恐れが抑制される。
また、角用誘導標識体１００においては、誘導標識板が破損したりした場合、新しい誘導標識板の取り付けが行える。
【００５１】
第１誘導標識板１ａが第１引掛け部５ａ及び第１被い部６ａによって一部を覆われて取り付けられた状態（図３参照）でスライドしないように仮固定しておいた場合は、この仮固定を解除すれば容易に取り外しができる。
同様に、第２誘導標識板１ｂが第２引掛け部５ｂ及び第２被い部６ｂによって一部を覆われて取り付けられた状態（図６参照）でスライドしないように仮固定した場合は、この仮固定を解除すれば容易に取り外が可能である。
さらに、角用誘導標識体１００においては、上述したように、第１取付片７ａ及び第２取付片７ｂを備えるので、浮き上がるようなことがなく、角用誘導標識体１００が階段等の設置場所に確実に固定されると共に、人がつまずき難くなる。
【００５２】
以上、本発明の好適な実施形態について説明したが、本発明は上記実施形態に限定されるものではない。
【００５３】
例えば、本実施形態に係る角用誘導標識体１００は、第１標識取付け板１０と、第２標識取付け板２０とが直角になっているが、これに限定されるものではない。すなわち、上述したように、断面曲がりクビ部４ｂを真っ直ぐに形成した場合は、第１標識取付け板１０と第２標識取付け板２０とのなす角度に自由度が出るため、やや鈍角、或いは、やや鋭角とすることが可能である。
【００５４】
本実施形態に係る角用誘導標識体１００においては、蓄光性を有する誘導標識板が用いられているが、危険を表す黄色と黒の斜線が描かれたボード等を用いてもよい。
【００５５】
本実施形態に係る角用誘導標識体１００は、第１標識取付け板１０と第２標識取付け板２０とが一体となっているが、第１標識取付け板１０のみを角部に取り付けてもかまわない。
図９は、第１標識取付け板のみを設置した例を示す断面図である。
この場合、第２引掛け部が角部を被う状態となるので、角部が保護される。
【産業上の利用可能性】
【００５６】
本発明の角用誘導標識体１００は、地下鉄の駅、地下街、地下駐車場、トンネル、ビル等における防災対策として、災害時に外界へ脱出するための出口や非常口を案内表示する誘導標識に好適に用いられる。
特に、足元が見えない状態になる階段においては、階段の踏む側と壁側との両方に誘導標識体を設けることができるので有用である。
【符号の説明】
【００５７】
１ａ・・・第１誘導標識板（誘導標識板）
１ｂ・・・第２誘導標識板（誘導標識板）
２ａ・・・第１ベース部
２ｂ・・・第２ベース部
３・・・ガイドレール部
４・・・ガイド部
４ａ・・・断面頭大部
４ｂ・・・断面曲がりクビ部
５ａ・・・第１引掛け部
５ｂ・・・第２引掛け部
６ａ・・・第１被い部
６ｂ・・・第２被い部
７ａ・・・第１取付片
７ｂ・・・第２取付片
１０・・・第１標識取付け板
１２ａ，１２ｂ・・・テーパー面
２０・・・第２標識取付け板
１００・・・角用誘導標識体
Ｐ・・・ネジ釘
Ｒ・・・接着剤
Ｓ・・・貫通孔
【図１】
2011117195.tif 000003
【図２】
2011117195.tif 000004
【図３】
2011117195.tif 000005
【図４】
2011117195.tif 000006
【図５】
2011117195.tif 000007
【図６】
2011117195.tif 000008
【図７】
2011117195.tif 000009
【図８】
2011117195.tif 000010
【図９】
2011117195.tif 000011